(57)【要約】      （修正有）【課題】生ゴミリサイクルの園芸土壌で、炭酸カルシウムスポンジを混入して酵母菌育成土壌とする生活環境再生システムを構築する。【解決手段】ブロック工程図の作業工程で、容家庭生ゴミ１の工場集荷５を加工園芸土壌４として、炭酸カルシウムスポンジ９生産からでの酵母土壌２０を形成し、腐敗肥料７と肥料５の混入の発酵温度管理１７から、ユニット単位の倉庫管理１５を構成する。ゴミ処理場１５では、分別ゴミのベルトコンベア２５搬入と炭酸カルシウムスポンジ９生産ラインでの園芸土壌との混入であり、園芸形成の地中の根の部分の酵母菌育成土壌８の構成の地面ハウス形成である。炭酸カルシウム原料のスポンジ１１は速やかに自然環境に消滅し、酵母菌育成８の炭酸ガスとして、必要量や軽量化体積の保温性に勝れ根の成長を伺す。スポンジとシートの張り合わせは地中循環をセーブし、地中内部でのスポンジの多重層の構成は根の成長に対応する。【選択図】  図４
2004208624.tif 000002
【特許請求の範囲】
【請求項１】
各家庭（１）の生ゴミ処理設備器（２）を備えて、園芸用土壌（３）に再生し、前記園芸用土壌（３）に当譲集積の工場で再加工の炭酸カルシウムを混入の工業加工園芸土壌（４）とし、前記工業加工園芸土壌（４）に肥料（５）を加える家庭食品生ゴミ回収の再園芸土壌システム。
【請求項２】
家庭食品廃棄の生ゴミ（６）を園芸用土壌（３）として、工場の工業加工の付加々工とした請求項１記載の家庭食品生ゴミ回収の再園芸土壌システム。
【請求項３】
工業加工園芸土壌（４）の当該集積工場において、腐敗肥料（７）の酵母菌育成土壌（８）の改良とする請求項２記載の家庭食品生ゴミ回収の再園芸土壌システム。
【請求項４】
各家庭食品廃棄の生ゴミ（６）を、園芸土壌として再生し、炭酸カルシウムのスポンジ（９）備えを当該残土に混入させて、炭酸カルシウム入園芸土壌とする請求項２記載の家庭食品生ゴミ回収の再園芸土壌システム。
【請求項５】
工業加工園芸土壌（４）の集積工場において、付加々工として肥料（窒素、カルシウム、イオウ、カリウム、マグネシウム、塩素、ナトリウム、鉄）が混入される土壌の請求項２記載の家庭食品生ゴミ回収の再園芸土壌システム。
【請求項６】
農耕地・園芸土（１０）の表面に保水・保温を目的として当該の炭酸カルシウムスポンジ（１１）やシート養生（１３）を備える請求項１、３又は５記載の家庭食品生ゴミ回収の再園芸土壌システム。
【請求項７】
農耕地・園芸土（１０）の内部に炭酸カルシウムスポンジの小片（９）を混入備えの土壌改良の再園芸システムの当該再園芸土システムの酵母菌育成土壌システム。
【請求項８】
軽量化の炭酸カルシウムの多数の気孔を有するスポンジ状の小片（９）である請求項７記載の土壌改良の再園芸システムの酵母菌育成土壌システム。
【請求項９】
生ゴミ処理設備器（２）を介して、炭酸カルシウムの小粒子（１２）と肥料混入備えの請求項８記載の土壌改良の再園芸システムの酵母菌育成土壌システム。
【請求項１０】
黒色の炭酸カルシウムのスポンジ状とシート養生（１３）備えである請求項７記載の農耕地・園芸の酵母菌育成土壌システム。
【請求項１１】
炭酸カルシウムよりなる酵母菌育成の備えの農耕地・園芸土壌の請求項８、９又は１０記載の家庭食品生ゴミ回収から成る再園芸土壌・農耕地の酵母菌育成土壌システム。
【請求項１２】
家庭食品生ゴミ（１）を回収し、当該工場で再処理加工の園芸用土壌（３）とし、炭酸カルシウムのスポンジ状小片、玉（９）を肥料と混入の備えの酵母菌育成の土壌システムの生産の搬出で、農耕地・園芸土壌（１０）の生産地の土壌改良や、さらに当該単品の炭酸カルシウムのスポンジ（９）の単品の酵母菌育成の土壌改良で、さらに農耕地・園芸地の表面に当該の炭酸カルシウムのスポンジ養生（１１）や、炭酸カルシウムシート（１３）備えの酵母菌育成の土壌とすることを特徴とする請求項１０記載の土壌改良の再園芸システムの酵母菌育成土壌。
【発明の詳細な説明】
【０００１】
【発明の属する技術分野】
本発明は、家庭食品生ゴミ回収により、当該システム再処理される生ゴミ処理と、炭酸カルシウム生産・加工を備えた、家庭食品生ゴミ回収の再園芸土壌システム並びに当該土壌に用いる工場加工の園芸土壌及びその製造方法。
【０００２】
【従来の技術】
従来の家庭食品生ゴミ回収においては、各都道府県の自治体が産業廃棄物の回収車によって集荷作業と燃焼工程になっている。
【０００３】
【発明が解決しょうとする課題】
従来の家庭食品の生ゴミは、産業廃棄物処理車での各戸生ゴミの集荷作業と、当該の産業廃棄物処理施設において、動物のエサや、燃焼の焼却や、埋め立て土壌などで、再生の土壌改良には至らず当該に対応する産業エネルギーの環境にもかかわったりして、焼却燃料で新らたな大気公害の発生もあってしまうと云う問題点があった。
【０００４】本発明は、家庭食品の生ゴミは動物のエサ加工工場としても、産業廃棄物処理の生ゴミを工場加工によって、園芸土壌として再生し、炭酸カルシウムの生産と加工工場において、当該製品の炭酸カルシウムのスポンジ状の製品によって、園芸土壌の再加工として酵母菌育成土壌とすることの家庭食品生ゴミ回収の再園芸システムを得ることを目的としており、さらに、当該装置に用いられる炭酸カルシウムの製品の製造が容易であり、酵母菌育成土壌の改良とすることによって、農作・園芸土壌として炭酸カルシウムによる、酵母菌育成の土壌及びその製造方法を提供することを目的としている。
【０００５】
【課題を解決するための手段】
上記目的を達成するために、本発明の家庭食品生ゴミ回収の再園芸土壌システムにおいては、生ゴミを熱処理加工とすると共に、炭酸カルシウムスポンジ状形態を加え、該炭酸カルシウムスポンジ状形態を小片形態とし、再園芸土壌と酵母菌育成土壌へ混合構成したものである。
【０００６】上記、炭酸ガスカルシウムスポンジを取り付ける位置は、再園芸土壌の適当な箇所とすることが可能であるが、従記する理由により、植物育成の根部分の地中根部分とする当該炭酸カルシウムスポンジの層形成とすることが効果的である。
【０００７】また、炭酸ガスカルシウムスポンジ形態を再園芸土壌に混合構成するために、スポンジ形態を小片に端切することの小片形態を形成し、この小片形態を再園芸土壌と混合構成を形成し、酵母菌育成の土壌を形成するか、一定量の当該酵母菌育成土壌を容積パックの単位量として酵母菌育成し、この容積パックに酵母菌育成の再園芸土壌と混合形成したものである。
【０００８】また、炭酸カルシウムスポンジには、農作・園芸植物の根幅に対応した薄い炭酸カルシウムスポンジ帯を土中に多重層に形成したものや、炭酸カルシウムスポンジの形態は小片・球体の、例えば保温・保湿と、肥料が十分に整え備えられる酵母菌育成土壌として構成形成することである。なお、農作・園芸土壌の表面に炭酸カルシウムシート養生を備えることによって、保温・保湿での酵母菌育成の十分な炭酸カルシウムスポンジ備えの土壌が好ましい。
【０００９】さらに、炭酸カルシウムスポンジ＆シートの養生の土壌表面備えは、下部のシート養生に気孔を有し、雨天におけるスポンジでの保水機能と共に、水蒸気Ｈ２Ｏの蒸発は園芸植物での酸素Ｏ２作用と共に大気環境を備える。
【００１０】そして、前記各家庭からの集荷生ゴミの園芸土壌として、炭酸カルシウムスポンジを混入して、酵母菌育成土壌の製造方法としては、工場生産プロセス加工の加工園芸土壌の生産として、一次生産課程から発生の炭酸カルシウムポリエチレンを二次生産としてシート状・スポンジ状・スポンジ状シートに加工生産し、酵母土壌として構成する。さらに肥料・酵母菌肥料・炭酸カルシウムスポンジと発酵温度をユニット単位の梱包詰めにして、一定の期間を当該倉庫管理として酵母菌育成土壌として再生する製造方法がある。
【００１１】
【発明の実施の形態】
上記のように構成された、家庭食品回収の再園芸システムに炭酸カルシウム・スポンジ状の小片を園芸土壌に混入構成で、土壌・園芸土壌の内部で炭酸カルシウムの分解によって再園芸土壌は炭酸ガスの保温効果とバクテリア発生の環境の酵母菌育成土壌として大きな酵母菌発生の土壌環境を備えるために、この酵母菌育成土壌として梱包密閉の一定期間の酵母育成の保存とする。炭酸カルシウムの分解の炭酸ガスは当該適切量とされて自然環境に対応することの保温効果とバクテリア発生の安定した炭酸カルシウムとして自然環境に適応することになる。
【００１２】そして、上記した理由から、炭酸カルシウムはスポンジ状となって園芸・農作物の根の部分での滋養体積になり、当該自然環境に適応する適切な構成となっての酵母菌育成土壌であればある程有効であり、炭酸カルシウムはそれ自体は発泡・スポンジ状でのすみやかな分解を効果とする自然環境適応性のものが好ましい。
【００１３】また、園芸土壌と炭酸カルシウムの混入構成になって、肥料及び当該かかわりの腐敗肥料構成の酵母菌育成土壌は、温度管理工程のあとにパッケージ容器での酵母菌育成土壌とされて当該の酵母菌育成と一定期間での倉庫管理として、酵母菌育成の十分な園芸・農作物での再園芸土壌からのリサイクルシステムの効用になる。
【００１４】
【実施例】
実施例について図面を参照して説明すると、１図において、各家庭生ゴミを当該処理済み回収ルート集荷と生ゴミ回収車両１８集荷での生ゴミ処理工場１５で再処理加工する。
【００１５】２図に示される実施例では、ブロック工程図になり、ゴミ内容によって生ゴミ１と工場集荷３を工場生ゴミで再処理６して、加工園芸土壌４で集合して酵母土壌２０とする。さらに酵母菌育成土壌８として、肥料５の混入と腐敗肥料７と炭酸カルシウムスポンジ小片１２を混入させて、当該の発酵温度管理として、ユニット単位での酵母菌育成土壌８として倉庫管理１５での酵母菌育成になり、園芸用袋梱包として出荷する。
【００１６】３図に示される実施例では、生ゴミ処理工場１５には分別ゴミ内容でのベルトコンベア搬入で、コンベア２１に酵母土壌２０の混合の炭酸カルシウムスポンジ小片の酵母土壌２０とする。当該ミキシングされた酵母土壌２０はコンベア２１によって発酵温度管理１７でのユニット単位倉庫管理１５において、ユニット梱包されて一定量の単位の酵母菌育成土壌８とする。倉庫内は発酵温度管理１７とユニット単位の搬出入管理になって、園芸用袋梱包１６とする。
【００１７】４図（ａ）（ｂ）（ｃ）（ｄ）は、前記炭酸カルシウムスポンジと園芸土壌で酵母菌育成土壌として構成する園芸・農作物の製造工程を示すもので、この製造工程は。
【００１８】（イ）第一工程（４図（ａ））：地面レベルから農耕地のうねの盛りあげの当該農作物での根体積の形成の酵母菌育成土壌８の備えで、厚手の炭酸カルシウムスポンジ養生を構成する。（特に保温・保湿の黒色のものが好ましい）農作物の芽２４植え付けになる工程。
【００１９】（ロ）第二工程（４図（ｂ））：地面レベルに厚手の炭酸カルシウムスポンジシートを備える構造になって、根の成長の下部に一層の酵母菌育成の炭酸カルシウムスポンジ構成の工程。
【００２０】（ハ）第三工程（４図（ｃ））：園芸や農作物の樹木２２や作物２３に対応しての、植え付けでの酵母菌土壌８の備えと、当該の根の成長と共に地中下に二重の酵母菌育成の炭酸カルシウムスポンジ９の構成の工程。
から成る。
【００２１】
【発明の効果】
本発明は、以上説明したように構成されているので、以下に記載されるような効果を奏する。
生ゴミを再処理しての園芸土壌として、炭酸カルシウムスポンジ小片を混入備えとすることによって、園芸・農作物において酵母菌育成土壌として、炭酸カルシウムスポンジ小片での酵母菌育成になり、園芸や農作物の成長をうながす。
【００２２】そして、炭酸カルシウムスポンジ小片と生ゴミ再処理の園芸土壌とすることによって、園芸土壌としての土壌が軽量化となって、より大きな園芸土壌の軽量化と容積を得ることができるので、軽量化の園芸土壌としてより有効に防止できる酵母菌育成土壌である。
【００２３】さらに、炭酸カルシウムスポンジ小片を生ゴミ再処理の園芸土壌とすることによって、ビルなどの屋上園芸などにおいて軽量化の園芸土壌を形成し、ビルや屋上園芸において炭酸カルシウムスポンジ入りの園芸土壌を構成の採用することによって、ビルや屋上園芸において生ゴミ再処理の園芸土壌とすることができるので、園芸土壌及び生ゴミ再処理の炭酸カルシウムスポンジ小片としてや、再炭酸カルシウムスポンジ入りの酵母菌育成土壌とすることができる。
【００２４】また、生ゴミ回収の生ゴミ再処理の工場加工における園芸土壌で、炭酸カルシウムスポンジ小片での酵母菌育成土壌を形成する構成の採用によって、園芸土壌のような重量体積でなく、生ゴミ再処理の工場加工によって多量生産の地球環境に適応することの軽量化園芸土壌を簡単に製造することができる。
【００２５】また、炭酸カルシウムスポンジには、スポンジ小片加工したものや、農耕土壌の地中内部にフイルム状の炭酸カルシウムスポンジ、例えば炭酸カルシウムスポンジの中空体の密度や、酵母菌育成の発酵土壌の反応形式の炭酸カルシウムスポンジでの発酵菌育成として構成するものを用いる。なお、園芸土壌や農耕土壌での酵母菌育成の炭酸カルシウムのスポンジ密度とすることが好ましい。
【００２６】さらに、炭酸カルシウムスポンジ小片、炭酸カルシウムフイルム状の農耕土壌として酵母菌育成の発酵土壌の反応形式としての炭酸カルシウムスポンジの密度は、酵母菌育成の形成としての園芸土壌や農耕土壌での炭酸カルシウムスポンジ密度である。
【００２７】そして、前記各家庭からの集荷生ゴミの園芸土壌として、炭酸カルシウムスポンジを混入して、酵母菌育成土壌の製造方法としては、前記した製造方法を採用することによって、工場生産のプロセス加工の加工園芸土壌の生産として、炭酸カルシウムスポンジ、肥料、酵母菌構成の発酵を備える酵母菌育成土壌として、産業廃棄物処理のリサイクル効用として、容易に製造することができる。
【００２８】
【図面の簡単な説明】
【図１】家庭食品生ゴミ回収搬送と工場加工の実施例を示す部分立体図。
【図２】工場加工再園芸土壌の酵母菌育成土壌システムの実施例を示すブロック工程図。
【図３】工場加工とユニット単位倉庫管理の実施例を示す縦断面図。
【図４】（ａ）再園芸土壌の酵母菌育成土壌の実施例を示す一部縦断面図。
（ｂ）農耕土壌形成の酵母菌育成土壌と厚い炭酸カルシウムスポンジシート養生の実施例を示す一部縦断面図。
（ｃ）酵母菌育成土壌と炭酸カルシウムスポンジシート養生と地中埋設の当該炭酸カルシウムスポンジの実施例を示す一部縦断面図。
（ｄ）地中埋設炭酸カルシウムスポンジ層形成の一部製造工程を示す図である。
【符号の説明】
１‥‥家庭ゴミ
２‥‥生ゴミ処理機
３‥‥園芸土壌
４‥‥加工園芸土壌
５‥‥肥料
６‥‥生ゴミ処理加工
７‥‥腐敗肥料
８‥‥酵母菌育成土壌
９‥‥炭酸カルシウム加工
１０‥‥発酵温度管理
１１‥‥炭酸カルシウムスポンジ
１３‥‥炭酸カルシウムスポンジ
シート養生
１５‥‥ユニッ単位倉庫管理
１６‥‥園芸用袋梱包
１７‥‥発酵温度管理
１８‥‥ホッパー
１９‥‥ミキサー
２０‥‥酵母土壌
２１‥‥コンベア
２２‥‥園芸
２３‥‥農作物
【図１】
2004208624.tif 000003
【図２】
2004208624.tif 000004
【図３】
2004208624.tif 000005
【図４】
2004208624.tif 000006